(57)【要約】      （修正有）【課題】表示部を備えた電子機器の消費電力を低減する方法に関し、ユーザーが前記表示部を見ていないと判断されるまでの所定時間を設定し、所定時間が過ぎたら表示部を所定のインターバルで点滅させる省電力モードを実行し、ユーザーが指示入力キーの何れかを押下するとか特定の動作を行うだけで自動的に元の状態に復帰する表示制御機能を備えた電子機器を提供する。【解決手段】複数の入力キー３を操作して指示された動作を指示する動作指示部４と、前記動作指示部４の指示で動作を制御する動作制御部５と、前記動作制御部５に制御されてタイマー設定と時間の計測を行なうタイマー６と、前記動作制御部５に制御されて省電力モードの設定を保持する設定保持メモリ７と、前記動作制御部５に制御されて表示画面９を制御する画面表示制御部８と、前記画面表示制御部８に制御されて点滅表示する表示画面９とを備えた。【選択図】図１
2006119999.tif 000002
【特許請求の範囲】
【請求項１】
複数の入力キーの操作により指示を行う指示入力部と、前記入力された指示にもとづき動作を指示する動作指示部と、前記動作指示部から指示を受けて動作を制御する動作制御部と、前記動作制御部に制御されてタイマー設定を行うタイマーと、前記動作制御部に制御されて設定を保持する設定保持メモリと、前記動作制御部に制御されて表示部を制御する表示制御部と、前記表示制御部に制御されて情報を表示する表示部とを備えた電子機器において、何れの入力キーも操作がなされない状態にあり省電力モードを実行させるまでの待機時間である無操作時間と、表示部を消灯するＯＦＦ時間と、表示部を点灯するＯＮ時間のそれぞれについて前記タイマーが経過時間の計測を行い、前記設定保持メモリは前記無操作時間、ＯＦＦ時間、ＯＮ時間の各々の時間設定データを保持しており、前記表示制御部は前記表示部を点滅させるように制御することにより、前記指示入力部の操作がなされない無操作時間が所定の時間を超えたときは前記表示部が所定のインターバルで消灯と点灯を繰り返す点滅型省電力モードを実行することを特徴とする表示制御機能を備えた電子機器。
【請求項２】
前記無操作時間と、ＯＦＦ時間と、ＯＮ時間は前記入力キーの操作により設定可能としたことを特徴とする請求項１記載の表示制御機能を備えた電子機器。
【請求項３】
前記指示入力部の操作が所定の時間なされないときは、表示部の輝度を所定の輝度まで引き下げる低輝度表示と通常の輝度である高輝度表示を前記所定のインターバルで繰り返す輝度変更型省電力モードを実行することを特徴とする請求項２記載の表示制御機能を備えた電子機器。
【請求項４】
前記点滅型省電力モード或いは輝度変更型省電力モードを実行中に前記複数の入力キーのうち何れかのキーが押下されたときと特定の動作を行ったときは前記繰り返し動作を解除して復帰し、再度前記所定の時間を経過しても指示入力部の操作がなされないときまで前記点滅型省電力モード或いは輝度変更型省電力モードを実行しないことを特徴とする請求項２又は３記載の表示制御機能を備えた電子機器。
【発明の詳細な説明】
【技術分野】
【０００１】
本発明は、表示画面や表示管などの表示部を備えた電子機器の消費電力を低減する方法に関し、特に、ユーザーが前記表示部を見ていないと判断されるまでの所定時間を設定し、所定時間が過ぎたら省電力モードを実行し、ユーザーが指示入力キーの何れかを押下するだけで簡単に元の状態に復帰することを可能とする表示制御機能を備えた電子機器に関する。
【背景技術】
【０００２】
従来から、表示画面を備えた電子機器の消費電力を低減する方法については、例えば、一定の時間以上、操作者が不在の場合、ＣＲＴ（陰極線管）の画面表示を低輝度で表示を行う。又は、データ入力部を有し、データ入力部に所定の時間データの入力が無い場合、陰極線管の輝度を変化させる。或いは携帯電話の回線接続を監視し、回線接続から一定時間が経過したときは表示を消す、又は輝度調整を行うといった方法がとられている。
【０００３】
このような電子機器の消費電力を低減する方法については、例えば従来技術として特許文献１には、バックライト付の液晶表示パネルにおいて、所定時間を超えて何らかのアクセスもないときはバックライトの明るさを段階的に減光し、アクセスがあったときは明るさを初期状態に戻すように制御すると共に、段階的減光の繰り返し回数が所定の回数を超えると、非使用状態にあるものとしてバックライトと液晶表示パネルの電源をＯＦＦにする方法が開示されている。
【０００４】
【特許文献１】特開平５−１８８８６９号公報
【発明の開示】
【発明が解決しようとする課題】
【０００５】
本発明は、従来技術において、表示部の事例としては次のようなものが挙げられる。一般家庭などにおいては大型テレビにおけるプラズマディスプレイ表示パネル、テレビやパソコンなどにおけるＣＲＴや液晶表示パネル、加入電話機や携帯電話機における液晶表示パネル、或いはＶＣＲ装置やＤＶＤ装置などの用途に用いられる表示管などがあり、所定時間、リモコンや電子機器本体の入力キーによる操作が無い場合は、これらの表示部の明るさを段階的に減少させて暗くすることにより消費電力を低減させる場合、暗くなりすぎると電子機器の電源が切れていると思い込み、電子機器の電源を切り忘れてしまうといった懸念があった。また、携帯電話機の場合、表示部の輝度を下げることによって時計表示が暗くて読み取り難く、高輝度に復帰させるには特定のキー操作を行うことによって表示部を高輝度にする必要があった。このような従来技術における消費電力の低減方法を改善し、電源の消し忘れを防止すると共に省電力モードから通常の状態に戻す操作の省力化を可能とする表示制御機能を備えた電子機器を得るものである。
【課題を解決するための手段】
【０００６】
請求項１記載の表示制御機能を備えた電子機器は、複数の入力キーの操作により指示を行う指示入力部と、前記入力された指示にもとづき動作を指示する動作指示部と、前記動作指示部から指示を受けて動作を制御する動作制御部と、前記動作制御部に制御されてタイマー設定を行うタイマーと、前記動作制御部に制御されて設定を保持する設定保持メモリと、前記動作制御部に制御されて表示部を制御する表示制御部と、前記表示制御部に制御されて情報を表示する表示部とを備えた電子機器において、何れの入力キーも操作がなされない状態にあり省電力モードを実行させるまでの待機時間である無操作時間と、表示部を消灯するＯＦＦ時間と、表示部を点灯するＯＮ時間のそれぞれについて前記タイマーが経過時間の計測を行い、前記設定保持メモリは前記無操作時間、ＯＦＦ時間、ＯＮ時間の各々の時間設定データを保持しており、前記表示制御部は前記表示部を点滅させるように制御することにより、前記指示入力部の操作がなされない無操作時間が所定の時間を超えたときは前記表示部が所定のインターバルで消灯と点灯を繰り返す点滅型省電力モードを実行することを特徴とする。
【０００７】
請求項１の構成によれば、複数の入力キーの操作により指示を行う指示入力部と、前記入力された指示にもとづき動作を指示する動作指示部と、前記動作指示部から指示を受けて動作を制御する動作制御部と、前記動作制御部に制御されてタイマー設定を行うタイマーと、前記動作制御部に制御されて設定を保持する設定保持メモリと、前記動作制御部に制御されて表示部を制御する表示制御部と前記表示制御部に制御されて情報を表示する表示部とを備えた電子機器において、何れの入力キーも操作がなされない状態にあり省電力モードを実行させるまでの待機時間である無操作時間と、表示部を消灯するＯＦＦ時間と、表示部を点灯するＯＮ時間のそれぞれについて前記タイマーが経過時間の計測を行い、前記設定保持メモリは前記無操作時間、ＯＦＦ時間、ＯＮ時間の各々の時間設定データを保持しており、前記表示制御部は前記表示部を点滅させるように制御することにより、前記指示入力部の操作がなされない無操作時間が所定の時間を超えたときは前記表示部が所定のインターバルで消灯と点灯を繰り返す点滅型省電力モードを実行することにより、所定時間、リモコンや電子機器本体の入力キーによる操作が無い場合は、所定のインターバルで消灯と通常の明るさで点灯する点滅を繰り返すことができる。
【０００８】
請求項２記載の表示制御機能を備えた電子機器は、請求項１記載の表示制御機能を備えた電子機器において、前記無操作時間と、ＯＦＦ時間と、ＯＮ時間は前記入力キーの操作により設定可能としたことを特徴とする。
【０００９】
請求項２の構成によれば、前記無操作時間と、ＯＦＦ時間と、ＯＮ時間は前記入力キーの操作により設定可能としたことにより、ユーザーがその時の状況により、思い通りの時間設定を行なうことが出来る。
【００１０】
請求項３記載の表示制御機能を備えた電子機器は、請求項２記載の表示制御機能を備えた電子機器において、前記指示入力部の操作が所定の時間なされないときは、表示部の輝度を所定の輝度まで引き下げる低輝度表示と通常の輝度である高輝度表示を前記所定のインターバルで繰り返す輝度変更型省電力モードを実行することを特徴とする。
【００１１】
請求項３の構成によれば、前記指示入力部の操作が所定の時間なされないときは、表示部の輝度を所定の輝度まで引き下げる低輝度表示と通常の輝度である高輝度表示を前記所定のインターバルで繰り返す輝度変更型省電力モードを実行することにより、表示部を完全に消してしまうと都合が悪い時は所定のインターバルで通常の明るさと、薄暗い明るさを交互に繰り返すことが出来る。
【００１２】
請求項４の表示制御機能を備えた電子機器は、請求項２又は３記載の表示制御機能を備えた電子機器において、前記点滅型省電力モード或いは輝度変更型省電力モードを実行中に前記複数の入力キーのうち何れかのキーが押下されたときと特定の動作を行ったときは前記繰り返し動作を解除して復帰し、再度前記所定の時間を経過しても指示入力部の操作がなされないときまで前記点滅型省電力モード或いは輝度変更型省電力モードを実行しないことを特徴とする。
【００１３】
請求項４の構成によれば、前記点滅型省電力モード或いは輝度変更型省電力モードを実行中に前記複数の入力キーのうち何れかのキーが押下されたときと特定の動作を行ったときは前記繰り返し動作を解除して復帰し、再度前記所定の時間を経過しても指示入力部の操作がなされないときまで前記点滅型省電力モード或いは輝度変更型省電力モードを実行しないことにより、無作為に前記電子機器の入力キーを押下するだけで本発明の省電力モードから簡単に復帰することが出来る。
【発明の効果】
【００１４】
請求項１の発明によれば、この表示制御機能を備えた電子機器には、複数の入力キーの操作により指示を行う指示入力部と、前記入力された指示にもとづき動作を指示する動作指示部と、前記動作指示部から指示を受けて動作を制御する動作制御部と、前記動作制御部に制御されてタイマー設定を行うタイマーと、前記動作制御部に制御されて設定を保持する設定保持メモリと、前記動作制御部に制御されて表示部を制御する表示制御部と前記表示制御部に制御されて情報を表示する表示部とを備えた電子機器において、何れかの入力キーも操作がなされない状態にあり省電力モードを実行させるまでの待機時間である無操作時間と、表示部を消灯するＯＦＦ時間と、表示部を点灯するＯＮ時間のそれぞれについて前記タイマーが経過時間の計測を行い、前記設定保持メモリは前記無操作時間、ＯＦＦ時間、ＯＮ時間の各々の時間設定データを保持しており、前記表示制御部は前記表示部を点滅させるように制御することにより、前記指示入力部の操作がなされない無操作時間が所定の時間を超えたときは前記表示部が所定のインターバルで消灯と点灯を繰り返す点滅型省電力モードを実行することにより、所定時間、リモコンや電子機器本体の入力キーによる操作が無い場合は、所定のインターバルで消灯と通常の明るさで点滅を繰り返すことができるので、明るく点灯しているときに表示部の表示内容を明確に視認することができると共に、消灯しているときは表示部の消費電力を抑えることが出来る。また、これらの表示部の明るさを段階的に減少させて暗くすることにより消費電力を低減させる場合、暗くなりすぎると機器の電源が切れていると思い込み、機器の電源を切り忘れてしまうといった懸念があった従来技術における消費電力の低減方法を改善し、電源の消し忘れを防止する表示制御機能を備えた電子機器を得ることが出来る。
【００１５】
請求項２の発明によれば、前記無操作時間と、ＯＦＦ時間と、ＯＮ時間は前記入力キーの操作により設定可能としたことにより、ユーザーがその時の状況により、思い通りの時間設定をすることが出来るので、例えば用事を済ませるための時間や、就寝する時刻などを想定して任意の無操作時間を設定し、都合の良い点灯時間と消灯時間のインターバルを設定することができるので、予め電子機器にプログラムされた時間で動作することによりユーザーに不快感を与えるといった問題を防止することが出来る。
【００１６】
請求項３の発明によれば、前記指示入力部の操作が所定の時間なされないときは、表示部の輝度を所定の輝度まで引き下げる低輝度表示と通常の輝度である高輝度表示を前記所定のインターバルで繰り返す輝度変更型省電力モードを実行することにより、表示部を完全に消してしまうと都合が悪い時は所定のインターバルで通常の明るさと、薄暗い明るさを交互に繰り返すことが出来るので、定期的に明るく表示されたときに表示内容を明確に視認することが出来ると共に、一目をはばかって明るく表示させたくない時などにおいては、輝度を調節して所定の低輝度表示をさせることにより安心して表示内容を視認することが出来る。
【００１７】
請求項４の発明によれば、前記点滅型省電力モード或いは輝度変更型省電力モードを実行中に前記複数の入力キーのうち何れかのキーが押下されたときと特定の動作を行ったときは前記繰り返し動作を解除して復帰し、再度前記所定の時間を経過しても指示入力部の操作がなされないときまで前記点滅型省電力モード或いは輝度変更型省電力モードを実行しないことにより、無作為に前記電子機器の入力キーを押下するとか、折り畳み式携帯電話機の場合、折り畳みを開いたり閉じたりするといった特定の動作を行うだけで本発明の省電力モードから簡単に復帰することが出来るので、ユーザーは省電力モードを解除するリモコンの解除キーを押下するなど特定の入力キーを押下するような煩雑な動作を必要とせず、省電力モードから通常の状態に戻す操作の省力化が可能である。
【発明を実施するための最良の形態】
【００１８】
以上のように、本発明は、表示部における消費電力の低減方法を改善し、電源の消し忘れを防止すると共に省電力モードから通常の状態に戻す操作の省力化を可能とする電子機器を得るものであるが、以下の実施例の説明においては、本発明を具体化する際の一形態であって、本発明をその範囲内に限定するためのものではない。
【００１９】
以下、本発明を実施するための最良の形態としての実施例を図１から図１３を参照しながら以下に説明する。図１から図４は点滅型省電力モードを備えたテレビの表示画面による第一実施例で、図５から図８に示す第二実施例は点滅型省電力モードを備えたＤＶＤ装置の表示管であり、第三実施例は図９から図１３に示す輝度変更型省電力モードを備えた携帯電話機の表示画面における実施例である。もちろん、本発明は、その発明の趣旨に反さない範囲で、実施例において説明した以外のものに対しても容易に適用可能なことは説明を要するまでもない。
【実施例１】
【００２０】
図１から図４は本発明における第一実施例を示す点滅型省電力モードを備えたテレビの説明図であり、図１はテレビにおける表示制御機能を示すブロック説明図である。また、図２は省電力モードを設定するメニュー画面の表示例を示す説明図であり、図３は点滅型省電力モードによる表示画面の表示例を示す説明図である。また、図４は点滅型省電力モードを動作させる動作フローチャート説明図である。
【００２１】
図１に示すテレビ1０には、複数の入力キー３の操作により指示を行うリモコン２と、前記入力された指示にもとづき省電力モードの実行を制御するマイコン１と、前記マイコン１に制御されて省電力モード表示を実行する表示画面９を備え、前記マイコン１には前記リモコン２の指示を受けて動作を指示する動作指示部４と、前記動作指示部４から指示を受けて動作を制御する動作制御部５と、前記動作制御部５に制御されてタイマー設定を行うタイマー６と、前記動作制御部５に制御されて省電力モードの設定を保持する設定保持メモリ７と、前記動作制御部５に制御されて表示画面９を制御する画面表示制御部８が配置されており、前記表示画面９は前記画面表示制御部８に制御されて情報を表示するＣＲＴや液晶表示パネル、プラズマディスプレイ表示パネルなどである。前記テレビ１０は点滅型省電力モードを実行するに際して、ユーザーによりリモコン２のいずれの入力キー３も操作がなされない状態にあり省電力モードを実行させるまでの待機時間である無操作時間と、表示画面９を消灯しているＯＦＦ時間と、表示画面９を点灯しているＯＮ時間のそれぞれについて前記タイマー６が経過時間の計測を行い、前記設定保持メモリ７は前記無操作時間、ＯＦＦ時間、ＯＮ時間の各々の時間設定データを保持しており、前記画面表示制御部８は前記表示画面９を点滅させるように制御することにより、前記リモコン２の操作がなされない無操作時間が所定の時間を超えたときは前記表示画面９が所定のインターバルで消灯と点灯を繰り返すことが出来る。
【００２２】
続いて図１と図２により点滅型省電力モードを前記表示画面に表示された設定メニューを見ながら設定する方法について説明する。ユーザーが本発明による点滅型省電力モードを設定するには、図１に示すリモコン２の入力キー３を操作して設定メニュー画面を表示する指示信号を送信すると、テレビ１０に配置された図示しないリモコン受光部が指示信号を受光して動作指示部４に伝達し、動作制御部５に設定保持メモリ７から設定メニュー画面情報を引き出すように制御する。これを受けた設定保持メモリ７は記憶して保持していた前記設定メニュー画面情報を前記動作制御部５に伝達する。該動作制御部５は前記設定メニュー画面情報を画面表示制御部８に伝達し、表示画面９に表示するように制御する。前記画面表示制御部８は前記設定メニュー画面情報を表示画面９に表示するように制御することにより表示画面９には図２に示す設定メニューを画面表示する。
【００２３】
前記表示された図２に示す設定メニューの表示画面９には省電力モードを実行するまでの待機時間と、表示画面９を点滅させるＯＦＦ時間と、ＯＮ時間を前記リモコン２のテンキーにより数値入力し、時、分、秒と各々の設定時間の単位を選択して入力すると、入力した設定時間が表示される欄が設けてある。表示画面９の下側には、上下方向に矢印が表示されており、前記リモコン２の入力キー３を操作して図示しない画面上のカーソルを移動して前記省電力モードやＯＦＦ時間、ＯＮ時間の欄を選択することが出来る。また、同様に前記設定時間の単位も簡単に選択することを可能としている。また、左右方向にも矢印が表示されているが、設定時間の数値欄と設定時間の単位欄を前記リモコン２により容易に選択して設定することが出来るように表示されている。前記矢印表示の下段にはＥＮＴＥＲ：決定、及びＣＡＮＣＥＬ：取消し、と前記リモコンの入力キー３における図示しないＥｎｔｅｒキーとＣａｎｃｅｌキーを押下することで決定と取消しが可能と表示している。
【００２４】
前記設定メニューの表示に従い、ユーザーはリモコン２の入力キー３を操作して省電力モードの実行待機時間から設定してゆく。前記リモコン２の入力キー３を操作して「３」、「分」と指示すると、前記動作指示部４は動作制御部５に指示して省電力モードの実行待機時間「３分」後と設定保持メモリ７に記憶保持させる。続いて同様にＯＦＦ時間は「６０」、「秒」間、ＯＮ時間は「１０」、「秒」間と設定して設定保持メモリ７に記憶保持させる。設定が終了すると、画面表示に従いユーザーはリモコン２の図示しないＥｎｔｅｒキーを押下して決定することが出来る。もし、設定した時間を訂正する必要が生じた場合は、図示しないＥｎｔｅｒキーを押下して決定する前であれば前記上下の矢印に従い、例えばＯＦＦ時間を３０秒に変更するのであればＯＦＦ時間の欄に図示しないカーソルを移動して図示しないＣａｎｃｅｌキーを押下して表示されている数値を消去し、「３０」秒間と新たに書き直す。また、図示しないＥｎｔｅｒキーを押下して決定した後であれば、既に設定メニューの画面表示は消えているので、設定メニュー画面の表示をさせてから前記上下の矢印に従い、例えばＯＮ時間を２０秒に変更するのであればＯＮ時間の欄に図示しないカーソルを移動して図示しないＣａｎｃｅｌキーを押下して表示されている数値を消去し、「２０」秒間と新たに書き直すことが出来る。
【００２５】
続いて図３により、点滅型省電力モードとその画面表示例について説明する。テレビ１０における点滅型省電力モードは、テレビ番組を放映し続けているが、ユーザーがテレビ１０から離れてしまったとか居眠りをしてしまったとかにより暫くの間、図１に示すリモコン２に配置されたいずれの入力キー３も操作がなされない状態を感知して番組放映を行なっているテレビ１０の画面表示９を所定のインターバルで消したり点けたりすることにより表示画面９で消費される電力を低減する機能である。図３（ａ）は図１に示すリモコン２を操作して点滅型省電力モードの実行動作を既に指示してあり、暫くの間リモコン２のいずれの入力キー３も操作がなされていない状態にあり、リモコン２の無操作時間といえる。またこの時間は省電力モードを実行させるまでの待機時間に入っており、図２で設定した省電力モードまでの待機時間の３分間が過ぎようとしている段階を示しているが、テレビ１０の表示画面９には番組が今まで通り明るく映し出されている。次に図３（ｂ）は前記３分間の待機時間が過ぎて図２で設定したＯＦＦ時間の６０秒間の消灯時間帯にあり、テレビ１０の表示画面９は消灯し、暗く何も放映していない状態を示している。続いて図３（ｃ）は前記ＯＦＦ時間の６０秒間が過ぎ、図２で設定したＯＮ時間の１０秒間にあり、前記図３（ａ）の時と同じく表示画面９には明るく番組が放映されている点灯時間帯を示している。このＯＮ時間の１０秒間が過ぎると、６０秒間消灯するＯＦＦ時間と１０秒間点灯するＯＮ時間の動作を繰り返し、ユーザーがテレビ画面の点滅に気づいてリモコン２の何れかの入力キー３が操作されるまで繰り返す。
【００２６】
次に、図４によりテレビにおける点滅型省電力モードの動作について説明する。Ｔ−１は前述の点滅型省電力モードを開始するところである。Ｔ−２により、図２で示した省電力モードを実行する時間設定画面を図１に示すリモコン２を操作して表示画面９に表示させ、図示しないＥｎｔｅｒキーを押下して実行を指示する。もし前記点滅型省電力モードを実行するための設定がなされていなければ前記図２で説明した設定メニューに基づき点滅型省電力モードの待機時間やＯＦＦ時間、ＯＮ時間を設定する。続いて、Ｔ−３からはテレビ１０が前記設定された点滅型省電力モードの設定条件により動作を実行する段階である。Ｔ−３においては図２で設定された点滅型省電力モードの実行までの待機時間である３分間が経過したかを図１に示すタイマー６が監視している状態を示す。未だ実行する時間にいたっていなければ「ＮＯ」となりＴ−３における時刻の監視を続けることになる。３分間が経過すると「ＹＥＳ」となり、Ｔ−４により表示画面９は図２で設定した６０秒間ＯＦＦして消灯する。この後、Ｔ−５により消灯中にユーザーがリモコン２に何らかの入力キー３を押下したか否かが確認される。入力キー３が押下されれば「ＹＥＳ」となりＴ−３に戻り前記リモコン２の無操作時間で点滅型省電力モードを実行するまでの時間計測が図１に示すタイマー６により開始される。この時点でも入力キー３が押下されなければ「ＮＯ」となる。
【００２７】
ここで、入力キー３の押下を検知して点滅型省電力モードを解除する動作を説明する。前記入力キー３を押下すると動作指示部４が動作制御部５に何れかの入力キー３が押下されたことを伝達すると共に、押下された入力キー３がチャンネル切り替えの指示であるとか消音の指示であったとすると、前記動作制御部５はテレビ１０の図示しない映像音声制御部に指示内容を伝達すると共に、画面表示制御部８とタイマー６に点滅型省電力モードを解除するように制御を行なう。前記点滅型省電力モードの解除により前記タイマー６は再度点滅型省電力モードを実行するまでの時間計測を開始する。
【００２８】
前記Ｔ−５により「ＮＯ」の場合は、未だ表示画面９はＯＦＦ時間内で消灯中であり、Ｔ−６により前記タイマー６は消灯時間であるＯＦＦ時間を計測し続けて、「ＮＯ」であれば６０秒間が経過するまで繰り返す。Ｔ−６で６０秒間が過ぎ「ＹＥＳ」となるとＴ−７により表示画面９をＯＮして１０秒間点灯する。点灯した後はＴ−８により点灯中にユーザーがリモコン２に何らかの入力キー３を押下したか否かが確認される。入力キー３が押下されれば「ＹＥＳ」となりＴ−３に戻り前記リモコン２の無操作時間で点滅型省電力モードを実行するまでの時間計測が図１に示すタイマー６により開始される。この時点でも入力キー３が押下されなければ「ＮＯ」となり、Ｔ−９により前記設定した１０秒間のＯＮ時間、即ち点灯時間の計測が続けられる。前記１０秒間のＯＮ時間が経過すると「ＹＥＳ」となりＴ−４に戻り表示画面９は消灯される。これ以降は、ユーザーがリモコン２に何らかの入力キー３を押下するまで継続して点灯と消灯が繰り返される。また、何らかの入力キー３が押下されて復帰しても、それ以降は無操作時間が続けばＴ−３からＴ−９の動作を続ける。
【００２９】
以上のように、テレビ１０のＣＲＴや液晶表示パネル、プラズマディスプレイ表示パネルといった表示画面９における点滅型省電力モードはユーザーが指定した消灯時間は表示画面９を完全に消灯しているので、点滅型省電力モードを実行する前記テレビ１０は消費電力を低減することができる。また、前記点滅型省電力モードを実施するに際しては、テレビ１０の表示画面９に表示される設定メニュー画面にもとづいて簡単なリモコン操作により設定することができるので、一般家庭においても操作者が特定されてしまうということは解消することができる。更に、前記点滅型省電力モードを実行中においては、ユーザーが設定した所定時間の点滅インターバルにもとづいて表示画面９が点滅を繰り返し、前記表示画面９の点滅に気づいたユーザーがリモコン２の何らかの入力キー３を押下するだけで自動的に元の明るさの番組放映状態に復帰することが出来るので、省電力モードから元の状態に復帰させるために省電力モードを解除するリモコンの図示しない解除キーを押下するなど特定の入力キー３を押さなければ復帰できないということはなく、省電力モードが実行されている状態を見つけた人は誰でも簡単に元の状態に復帰させることができる。また、表示画面９は消灯と点灯を所定のインターバルで繰り返し、点灯時は元の明るさで表示しているので、ユーザーは表示画面９が明るく表示されている時に前記テレビ１０が省電力モードを実行中であることとか現在どんな番組を放映しているのかなどの状況把握をすることが出来ると共に、電源がＯＦＦ状態であると勘違いして電源を消し忘れてしまうといった問題は解消することができる。また、何らかの入力キー３が押下されて復帰しても、それ以降は無操作時間が続けばＴ−３からＴ−９の動作を続けることが出来る。
【実施例２】
【００３０】
次に、本発明における第二実施例について図５から図８を参照しながら説明する。第二実施例は点滅型省電力モードの表示管を備えたＤＶＤ装置であり、図５はＤＶＤにおける表示管の表示制御方法を示すブロック説明図である。また、図６は点滅型省電力モードの設定や実行を指示するリモコンを示す説明図であり、図７は点滅型省電力モードによる表示管の表示例を示す説明図である。また、図８は点滅型省電力モードを動作させる動作フローチャート説明図である。
【００３１】
図５に示すＤＶＤ装置２０には、複数の入力キー１３の操作により指示を行うリモコン１２と、前記入力された指示にもとづき省電力モードの実行を制御するマイコン１１と、前記マイコン１１に制御されて省電力モード表示を実行する表示管１９を備え、前記マイコン１１には前記リモコン１２の指示を受けて動作を指示する動作指示部１４と、前記動作指示部１４から指示を受けて動作を制御する動作制御部１５と、前記動作制御部１５に制御されてタイマー設定を行うタイマー１６と、前記動作制御部１５に制御されて省電力モードの設定を保持する設定保持メモリ１７と、前記動作制御部１５に制御されて表示管１９を制御する表示制御部１８が配置されており、前記表示管１９は前記表示制御部１８に制御されて情報を表示する。前記ＤＶＤ装置２０は点滅型省電力モードを実行するに際して、ユーザーによりリモコン１２のいずれの入力キー１３も操作がなされない状態にあり省電力モードを実行させるまでの待機時間である無操作時間と、表示管１９を消灯しているＯＦＦ時間と、表示管１９を点灯しているＯＮ時間のそれぞれについて前記タイマー１６が経過時間の計測を行い、前記設定保持メモリ１７は前記無操作時間、ＯＦＦ時間、ＯＮ時間の各々の時間設定データを保持しており、前記表示制御部１８は前記表示管１９を点滅させるように制御することにより、前記リモコン１２の操作がなされない無操作時間が所定の時間を超えたときは前記表示管１９が所定のインターバルで消灯と点灯を繰り返すことが出来る。
【００３２】
次に、図６によりリモコン１２の入力キー１３を操作して点滅型省電力モードを設定する方法について説明する。リモコン１２には、省電力モード選択キー１３ａと、待機時間選択キー１３ｂと、ＯＦＦ時間選択キー１３ｃと、ＯＮ時間選択キー１３ｄと、各時間を数値入力するテンキー１３ｆと、設定時間の単位を選択する時間単位選択キー１３ｅと、入力数値や時間の単位を決定するＥｎｔｅｒキー１３ｇと、入力数値を取消すＣａｎｃｅｌキー１３ｈとが配置されており、ユーザーは省電力モード選択キー１３ａを押下して省電力モードを選択し、続いて待機時間選択キー１３ｂを押下して待機時間の入力を可能とし、表示管１９に表示される「００：００：００」を見ながら時、分、秒のどの位置に数値を入力するか、時間単位選択キー１３ｅを操作して選択する。ここでは待機時間は３分としたいので、前記表示されている略中央の「分」の位置に合わせる。続いて、テンキー１３ｆを押下して待機時間を「０３」と入力することで待機時間は３分間と「００：０３：００」と表示される。続いて、ＯＦＦ時間選択キー１３ｃを押下した後に時間単位選択キー１３ｅで「秒」の位置に合わせ、テンキー１３ｆを押下してＯＦＦ時間を６０秒と入力し、ＯＮ時間選択キー１３ｄを押下した後に時間単位選択キー１３ｅで「秒」の位置に合わせ、テンキー１３ｆを押下してＯＮ時間を１０秒と入力する。入力した時間数値に問題が無ければＥｎｔｅｒキー１３ｇを押下して設定を完了する。テンキー１３ｆを押下しているときに設定時間数値を変更するときＣａｎｃｅｌキー１３ｈを押下して前記入力数値を取消し、再入力を行なって変更することができる。
【００３３】
続いて、図７によりＤＶＤ装置に配置された表示管に点滅型省電力モードを実行した表示例について説明する。図５に示すＤＶＤ装置２０に配置された表示管１９は通常、図７（ａ）に示すように現在時刻を点灯している。ユーザーがＤＶＤ装置２０から離れてしまったことなどにより、暫くの間図６に示すリモコン１２に配置されたいずれの入力キー１３も操作がなされない状態に至ると、これを感知して現在時刻の表示を所定のインターバルで消したり点けたりすることにより表示管１９で消費される電力を低減する機能である。図７（ａ）は図６に示すリモコン１２を操作して点滅型省電力モードの実行動作を既に指示してあり、暫くの間リモコン１２のいずれの入力キー１３も操作がなされていない状態にありリモコン１２の無操作時間といえる。またこの時間は省電力モードを実行させるまでの待機時間に入っており、図６で設定した省電力モードまでの待機時間の３分間が過ぎようとしている段階を示しているが、ＤＶＤ装置２０の表示管１９には現在時刻が今まで通り明るく高輝度で表示されている。次に図７（ｂ）は前記３分間の待機時間が過ぎて図６で設定したＯＦＦ時間の６０秒間の消灯時間帯にあり、ＤＶＤ装置２０の表示管１９は消灯し、暗く何も表示していない状態を示している。続いて図７（ｃ）は前記ＯＦＦ時間の６０秒間が過ぎ、図６で設定したＯＮ時間の１０秒間にあり、前記図７（ａ）の時と同じく表示管１９には明るく時刻が表示されている点灯時間帯を示している。このＯＮ時間の１０秒間が過ぎると、６０秒間消灯するＯＦＦ時間と１０秒間点灯するＯＮ時間の動作を繰り返し、ユーザーがＤＶＤ装置２０の表示管１９の点滅に気づいてリモコン１２の何れかの入力キー１３が操作されるまで繰り返す。
【００３４】
次に、図８によりＤＶＤ装置における点滅省電力モードの動作について説明する。Ｄ−１は前述の点滅省電力モードが既に設定されておりこれから開始するところである。Ｄ−２により、図６で示した省電力モード選択キー１３ｂを押下して実行を開始する。Ｄ−３においては図６で設定された点滅型省電力モードの実行までの待機時間である３分間が経過したか否かを図５に示すタイマー１６が監視している状態を示す。未だ実行する時間にいたっていなければ「ＮＯ」となりＤ−３における時刻の監視を続けることになる。３分間が経過すると「ＹＥＳ」となり、Ｄ−４により表示管１９は図６で設定した６０秒間ＯＦＦして消灯する。この後、Ｄ−５により消灯中にユーザーがリモコン１２に何らかの入力キー１３を押下したか否かが確認される。入力キー１３が押下されれば「ＹＥＳ」となりＤ−３に戻り前記リモコン１２の無操作時間で点滅型省電力モードを実行するまでの時間計測が図５に示すタイマー１６により開始される。この時点でも入力キー１３が押下されなければ「ＮＯ」となる。前記Ｄ−５により「ＮＯ」の場合は、未だ表示管１９はＯＦＦ時間内にあり消灯中であり、Ｄ−６により前記タイマー１６は消灯時間であるＯＦＦ時間を計測し続けて、「ＮＯ」であれば６０秒間が経過するまで繰り返す。Ｄ−６で６０秒間が過ぎ「ＹＥＳ」となるとＤ−７により表示管１９をＯＮして１０秒間点灯する。点灯した後はＤ−８により点灯中にユーザーがリモコン１２に何らかの入力キー１３を押下したか否かが確認される。入力キー１３が押下されれば「ＹＥＳ」となりＤ−３に戻り前記リモコン１２の無操作時間で点滅型省電力モードを実行するまでの時間計測が図５に示すタイマー１６により開始される。この時点でも入力キー１３が押下されなければ「ＮＯ」となり、Ｄ−９により前記設定した１０秒間のＯＮ時間、即ち点灯時間の計測が続けられる。前記１０秒間のＯＮ時間が経過すると「ＹＥＳ」となりＤ−４に戻り表示管１９は消灯される。これ以降は、ユーザーがリモコン１２に何らかの入力キー１３を押下するまで継続して点灯と消灯が繰り返される。また、何らかの入力キー１３が押下されても、それ以降は無操作時間が続けば、Ｄ−３からＤ−９の動作を続ける。
【００３５】
以上のように、ＤＶＤ装置２０の表示管１９における点滅型省電力モードはユーザーが指定した消灯時間は表示管１９を完全に消灯しているので、点滅型省電力モードを実行する前記ＤＤＶ装置２０は消費電力を低減することができる。また、前記点滅型省電力モードを実施するに際しては、ＤＶＤ装置２０のリモコン１２に配置された入力キー１３を押下する簡単なリモコン操作により設定することができるので、一般家庭においても操作者が特定されてしまうということは解消することができる。更に、前記点滅型省電力モードを実行中においては、ユーザーが設定した所定時間の点滅インターバルにもとづいて表示管１９が点滅を繰り返し、前記表示管１９の点滅に気づいたユーザーがリモコン１２の何らかの入力キー１３を押下するだけで自動的に元の明るさの時刻表示に復帰することが出来るので、省電力モードから元の状態に復帰させるために省電力モードを解除するリモコン１２の図示しない解除キーを押下するなど特定の入力キー１３を押さなければ復帰できないということはなく、省電力モードが実行されている状態を見つけた人は誰でも簡単に元の状態に復帰させることができる。また、表示管１９は消灯と点灯を所定のインターバルで繰り返し、点灯時は元の明るさで表示しているので、ユーザーは表示管１９が明るく表示されている時に現在時刻が何時であるのかなどの状況把握をすることが出来ると共に、電源がＯＦＦ状態であると勘違いして電源を消し忘れてしまうといった問題は解消することができる。また、何らかの入力キー１３が押下されても、それ以降は無操作時間が続けば、Ｄ−３からＤ−９の動作を続けることが出来る。
【実施例３】
【００３６】
次に、本発明における第三実施例について図９から図１１を参照しながら説明する。第三実施例は前記点滅型省電力モードと輝度変更型省電力モードの表示画面を備え、ユーザーが何れかを選択して実行することが出来る携帯電話機であり、本実施例においては輝度変型省電力モードについて説明する。図９は携帯電話機における表示画面の表示制御方法を示すブロック説明図である。また、図１０は輝度変更型省電力モードの設定メニュー画面を示す説明図であり、図１１は点滅型省電力モードと輝度変更型省電力モードの選択メニュー画面と、前記選択された輝度変更型省電力モードの設定メニュー画面を示す説明図であり、図１２は輝度変更型省電力モードによる表示画面の表示例を示す説明図である。また、図１３は輝度変更型省電力モードを動作させる動作フローチャート説明図である。
【００３７】
図９に示す携帯電話機３０には、複数の入力キー２３の操作により指示を行う操作キー部２２と、前記入力された指示にもとづき省電力モードの実行を制御するマイコン２１と、前記マイコン２１に制御されて省電力モード表示を実行する表示画面２９を備え、前記マイコン２１には前記操作キー部２２の指示を受けて動作を指示する動作指示部２４と、前記動作指示部２４から指示を受けて動作を制御する動作制御部２５と、前記動作制御部２５に制御されてタイマー設定を行うタイマー２６と、前記動作制御部２５に制御されて省電力モードの設定を保持する設定保持メモリ２７と、前記動作制御部２５に制御されて表示画面２９を制御する画面表示制御部２８が配置されており、前記表示画面２９は前記が面表示制御部２８に制御されて情報を表示する。前記携帯電話機３０は省電力モードを実行するに際して、ユーザーにより操作キー部２２のいずれの入力キー２３も操作がなされないとか、折り畳み式携帯電話機においては折り畳みを開いたり閉じたりされていない状態にあり、省電力モードを実行させるまでの待機時間である無操作時間と、表示画面２９を低輝度表示するＬＯＷ時間と、表示画面２９を高輝度表示するＨＩＧＨ時間のそれぞれについて前記タイマー２６が経過時間の計測を行い、前記設定保持メモリ２７は前記無操作時間、ＬＯＷ時間、ＨＩＧＨ時間の各々の時間設定データを保持しており、前記画面表示制御部２８は前記表示画面２９を低輝度と高輝度を繰り返させるように制御することにより、前記操作キー部２２の操作がなされない無操作時間が所定の時間を超えたときは前記表示画面２９が所定のインターバルで高輝度と低輝度を繰り返す輝度変更型省電力モードを実行することが出来る。また、この携帯電話機３０には、前記省電力モードを実行させるまでの待機時間である無操作時間と、表示画面２９を点灯表示するＯＮ時間と、表示画面２９消灯するＯＦＦ時間のそれぞれについて前記タイマー２６が経過時間の計測を行い、前記設定保持メモリ２７は前記無操作時間、ＯＮ時間、ＯＦＦ時間の各々の時間設定データを保持しており、前記画面表示制御部２８は前記表示画面２９を点灯と消灯を繰り返させるように制御することにより、前記操作キー部２２の操作がなされない無操作時間が所定の時間を超えたときは前記表示画面２９が所定のインターバルで点灯と消灯を繰り返す点滅型省電力モードも実行することが出来、表示画面２９に表示される選択メニューにより選択して設定することが出来る。
【００３８】
次に、図１０により携帯電話機３０における操作キー部２２と表示画面２９の概略の配置を説明する。図１０において、前記携帯電話機３０の下側には操作キー部２２があり、モード選択キー２３ａ、数値を入力するテンキー２３ｅ、入力内容を決定するＥｎｔｅｒキー２３ｆ、入力内容を取消すＣａｎｃｅｌキー２３ｇなどの入力キー２３が配置され、前記携帯電話機３０の上側には表示画面２９が配置されており、ユーザーはこれらの入力キー２３を押下して指示を行うことが出来る。
【００３９】
続いて、図１１により前記携帯電話機３０の操作キー部２２に配置された入力キー２３を操作して点滅型省電力モードと輝度変更型省電力モードから輝度変更型省電力モードを選択メニュー画面から選択して、前記選択された輝度変更型省電力モードによる表示画面２９の表示例を示す説明図である。図１１（ａ）は点滅型省電力モードと輝度変更型省電力モードから何れかを選択するメニュー画面であり、表示画面２９には前記点滅型省電力モードを表すＯＮ／ＯＦＦモードと、輝度変更型省電力モードを表すＨＩＧＨ／ＬＯＷモードが表示されており、表示画面２９の下側に上下方向の矢印選択に従いモード選択キー２３ａを押下して輝度変更型省電力モードを選択して、Ｅｎｔｅｒキー２３ｆを押下して決定する。続いて現れる図１１（ｂ）の設定メニューにはＨＩＧＨ／ＬＯＷ設定時間の入力メニューに従い、前記モード選択キー２３ａにより省電力モードを選択し、テンキー２３ｅを押下して「５」と入力した後に、前記モード選択キー２３ａにより「分」を選択する。これにより省電力モードを実行するまでの時間は５分後と表示される。次にＨＩＧＨ時間を「５」、「秒」間、ＬＯＷ時間を「５」、「分」間、と入力してＥｎｔｅｒキー２３ｆを押下することにより設定は完了する。
【００４０】
図１２により、輝度変更型省電力モードとその画面表示例について説明する。携帯電話機３０は通話をしていない時に画面に表示される日付や時刻、受信電波状態、バッテリーの残量などが表示されるが、通常は通話が終了して暫く後は液晶表示パネルのバックライトは消灯して真っ暗であり、何も見えない状態になるが、輝度変更型省電力モードは、腕時計を携行しないユーザーが待ち合わせや打ち合わせなどで現在時刻や時間経過が気になる時に所定のインターバルで高輝度表示と低輝度表示を繰り返して表示すことが出来るものである。高輝度表示は通話中の表示画面２９の明るさで、低輝度表示は薄暗いが読み取れる程度の明るさであり、低輝度表示における明るさもユーザーが任意に設定可能としている。このように携帯電話機３０における輝度変更型省電力モードは、表示画面２９を完全に消灯しているのではなく、ユーザーが必要な時に、所定のインターバルで暗くしたり明るくしたりすることにより表示画面２９で消費される電力を低減する機能である。図１２（ａ）は図９に示す操作キー部２２を操作して点滅型省電力モードの実行動作を既に指示してあり、例えば１０時の待ち合わせ５分前に設定しておけば、待ち合わせ時刻の１０時までは液晶表示パネルの画面は真っ暗であるが、１０時になると図１１（ｂ）に示すように５秒間は高輝度で点灯し、５秒を過ぎると図１１（ｃ）のように薄暗く表示するので、真っ暗であった表示画面２９が急に高輝度に表示したことを視認すれば１０時になったことが容易に理解することが出来ると共に、それ以降は薄暗く表示しているのでタイムリーに現在時刻を知ることが出来る。また、５分後は高輝度で表示、それ以降は薄暗く表示することを繰り返して、５分単位で高輝度に表示するので、どれ位待っているのかも容易に判断することが出来る。また、ユーザーが待ち人と会うことが出来たときは携帯電話機３０の操作キー部２３のいずれかの入力キー３を無作為に操作するとか、折り畳み式携帯電話機３０においては折り畳みを開いたり閉じたりすることにより、表示画面２９は完全消灯の状態に容易に戻るので、バッテリーの消費は最小限に抑えることが出来る。
【００４１】
次に、図１３により前記携帯電話機３０における輝度変更型省電力モードの動作について説明する。Ｍ−１は前述の輝度変更型省電力モードを開始するところである。Ｍ−２により、図１０で示した省電力モードを実行する時間設定画面を図９に示す操作キー部２２を操作して表示画面２９に表示させ、もし前記輝度変更型省電力モードを実行するための設定がなされていなければ前記図１１で説明した設定メニューに基づき輝度変更型省電力モードの待機時間やＨＩＧＨ時間、ＬＯＷ時間を設定する。続いて、Ｍ−３からは携帯電話機３０が前記設定された輝度変更型省電力モードの設定条件により動作を実行する段階である。Ｍ−３においては図１１で設定された輝度変更型省電力モードの実行までの待機時間である５分間が経過したかを図９に示すタイマー２６が監視している状態を示す。未だ実行する時間にいたっていなければ「ＮＯ」となりＭ−３における時刻の監視を続けることになる。３分間が経過すると「ＹＥＳ」となり、Ｍ−４により表示画面２９は図１１で設定した５秒間ＨＩＧＨとして高輝度に点灯する。この後、Ｍ−５により高輝度点灯中にユーザーが操作キー部２２に何らかの入力キー２３を押下したか、あるいは折り畳み式携帯電話機３０においては折り畳みを開いたり閉じたりしたか否かが確認される。入力キー２３が押下された、若しくは折り畳みが開閉されれば「ＹＥＳ」となりＭ−３に戻り前記操作キー部２２の無操作時間で輝度変更型省電力モードを実行するまでの時間計測が図９に示すタイマー６により開始される。この時点でも入力キー２３が押下されなければ、あるいは折り畳みを開いたり閉じたりされなければ「ＮＯ」となる。
【００４２】
ここで、入力キー２３が押下されたか、あるいは折り畳みを開いたり閉じたりされたことを検知して輝度変更型省電力モードを解除する動作を説明する。前記入力キー２３を押下するとか、折り畳みを開いたり閉じたりすると動作指示部２４が動作制御部２５に何れかの入力キー２３が押下された、または折り畳みが開閉されたことを伝達すると共に、押下された入力キー２３が電話をかけるための指示であったとすると、前記動作制御部２５は携帯電話機３０の図示しない通話制御部に指示内容を伝達すると共に、画面表示制御部２８とタイマー２６に輝度変更型省電力モードを解除するように制御を行なう。前記輝度変更型省電力モードの解除により前記タイマー２６は再度輝度変更型省電力モードを実行するまでの時間計測を開始する。
【００４３】
前記Ｍ−５により「ＮＯ」の場合は、未だ表示画面２９はＨＩＧＨ時間内にあり高輝度点灯中であり、Ｍ−６により前記タイマー２６は高輝度点灯時間であるＨＩＧＨ時間を計測し続けて、「ＮＯ」であれば５分間が経過するまで繰り返す。Ｍ−６で５分間が過ぎ「ＹＥＳ」となるとＭ−７により表示画面２９をＬＯＷとして５秒間低輝度点灯する。低輝度点灯した後はＭ−８により低輝度点灯中にユーザーが操作キー部２２に何らかの入力キー２３を押下したかとか、折り畳みを開いたり閉じたりしたか否かが確認される。入力キー２３が押下されれば「ＹＥＳ」となりＭ−３に戻り前記操作キー部２２の無操作時間で輝度変更型省電力モードを実行するまでの時間計測が図９に示すタイマー２６により開始される。この時点でも入力キー２３が押下されない、または折り畳みが開閉されなければ「ＮＯ」となり、Ｍ−９により前記設定した５秒間のＬＯＷ時間、即ち低輝度点灯時間の計測が続けられる。前記５秒間のＬＯＷ時間が経過すると「ＹＥＳ」となりＭ−４に戻り表示画面２９は高輝度に点灯される。これ以降は、ユーザーが操作キー部２２に何らかの入力キー２３を押下する、または折り畳みを開閉するまで継続して高輝度点灯と低輝度点灯が繰り返される。また、何らかの入力キー２３が押下された、もしくは折り畳みを開いたり閉じたりされても、それ以降は無操作時間が続けばＭ−３からＭ−９の動作を続ける。
【００４４】
以上のように、携帯電話機３０は通話をしていない時に画面に表示される日付や時刻、電波状態、バッテリーの残量などが表示されるが、通常は通話が終了して暫く後は液晶表示パネルである表示画面２９のバックライトは消灯して真っ暗であり、何も見えない状態にあるが、輝度変更型省電力モードは、腕時計を携行しないユーザーが待ち合わせや打ち合わせなどで現在時刻や時間経過が気になる時に所定のインターバルで高輝度表示と低輝度表示を繰り返すことが出来る。また、高輝度表示は通話中の表示画面２９の明るさであり、低輝度表示は薄暗いが読み取れる程度の明るさであり、低輝度表示における明るさもユーザーが任意に設定可能としている。このように携帯電話機３０における輝度変更型省電力モードは、表示画面２９を完全に消灯しているのではなく、ユーザーが必要な時に、所定のインターバルで暗くしたり明るくしたりすることにより表示画面２９で消費される電力を低減することが出来るので、例えば１０時の待ち合わせ５分前に設定しておけば、待ち合わせ時刻の１０時までは表示画面２９は真っ暗であるが、１０時になると５秒間は高輝度で点灯し、５秒を過ぎると薄暗く表示するので、真っ暗であった表示画面２９が急に高輝度に表示したことを視認すれば１０時になったことが容易に理解することが出来ると共に、それ以降は薄暗く表示しているのでタイムリーに現在時刻を知ることが出来る。また、５分後は高輝度で表示、それ以降は薄暗く表示することを繰り返して、５分単位で高輝度に表示するので、どれ位待っているのかも容易に判断することが出来る。また、ユーザーが待ち人と会うことが出来たときは携帯電話機３０の操作キー部２３のいずれの入力キー３を無作為に操作するとか、折り畳み式携帯電話機３０においては折り畳みを開いたり閉じたりすることにより、表示画面２９は完全消灯の状態に容易に戻るので、バッテリーの消費は最小限に抑えることが出来る。また、何らかの入力キー２３が押下された、または折り畳みが開閉されても、それ以降は無操作時間が続けばＭ−３からＭ−９の動作を続けることが出来る。
【００４５】
以上のように、所定時間、リモコン２、１２や電子機器本体の入力キー３，１３，２３による操作が無い場合は、表示画面９，２９や表示管１９の明るさを所定のインターバルで点滅させる、または輝度を変更して明るい表示や暗い表示を繰り返し行なうことが出来ると共に、何れかの入力キー３，１３，２３を押下するとか、折り畳み式携帯電話機３０においては折り畳みを開いたり閉じたりするだけで元の明るさや暗さに戻すことが出来るので、従来技術においてこれら表示部の明るさを段階的に減少させて暗くすることにより消費電力を低減させる場合、暗くなりすぎると電子機器の電源が切れていると思い込み、電子機器の電源を切り忘れてしまうといった問題や、携帯電話機３０の場合、表示画面２９の輝度を下げることによって時計表示が暗くて読み取り難く、高輝度に復帰させるには省電力モードを解除する操作キー部２２の図示しない解除キーを押下するなど特定の入力キー２３操作を行うことによって表示画面２９を高輝度にする必要があったが、このような従来技術における消費電力の低減方法を改善し、電源の消し忘れを防止すると共に省電力モードから通常の状態に戻す操作の省力化を可能とする表示制御機能を備えることが出来るので、大型テレビにおけるプラズマディスプレイ表示パネル、テレビ１０やパソコンなどにおけるＣＲＴや液晶表示パネル、加入電話機や携帯電話機３０における液晶表示パネル、或いはＶＣＲ装置やＤＶＤ装置２０などの用途に用いられる表示管１９などの消費電力を低減することが出来ると共に、携帯電話機３０における実施例のように、必要な時は所定の暗さと、通話時における通常の明るさを繰り返すことにより、ユーザーが待ち合わせなどでどれ位待ったのかなども一目で判ると共に、待ち人が現れた時はさりげなくバックライトの灯りを消すことが出来る。また、何らかの入力キー３，１３，２３が押下されても、それ以降は無操作時間が続けばＴ−３，Ｄ−３，Ｍ−３からＴ−９，Ｄ−９，Ｍ−９の動作を続けることが出来る。
【００４６】
以上、本実施例を詳述したが、本発明は、前記実施例に限定されるものではなく、本発明の要旨の範囲内で種々の変形実施が可能である。例えば、大型テレビ１０などに用いられるプラズマディスプレイ表示パネルやパソコンの液晶表示パネルといった表示画面９においても輝度変更型省電力モードを実施しても良く、また、入力キー３，１３，２３の配置や設定メニュー画面の表示内容はリモコン２，１２や操作キー部２３における使い易さを配慮して位置を変更するとか表示内容を変更するなど前記実施例に限定されるものではなく、適宜選定すればよい。
【図面の簡単な説明】
【００４７】
【図１】本発明の第一実施例を示すテレビの点滅型省電力モード表示を制御する概略構成を示すブロック説明図である。
【図２】本発明の第一実施例における点滅型省電力モードの設定メニュー画面の表示例を示す説明図である。
【図３】本発明の第一実施例における点滅型省電力モード時の表示画面の表示例を示す説明図である。
【図４】本発明の第一実施例における点滅型省電力モードの動作フローを示す動作フロー図である。
【図５】本発明の第二実施例を示すＤＶＤ装置の点滅型省電力モード表示を制御する概略構成を示すブロック説明図である。
【図６】本発明の第二実施例における点滅型省電力モードの設定や指示を行うリモコンを示す説明図である。
【図７】本発明の第二実施例における点滅型省電力モード時の表示管の表示例を示す説明図である。
【図８】本発明の第二実施例における点滅型省電力モードの動作フローを示す動作フロー図である。
【図９】本発明の第三実施例を示す携帯電話機の省電力モード表示を制御する概略構成を示すブロック説明図である。
【図１０】本発明の第三実施例における輝度変更型省電力モードの設定メニュー画面を示す説明図である。
【図１１】本発明の第三実施例における点滅型省電力モードと輝度変更型省電力モードの選択メニュー画面例と輝度変更型省電力モードの設定メニュー画面を示す説明図である。
【図１２】本発明の第三実施例における輝度変更型省電力モードの表示画面例を示す説明図である。
【図１３】本発明の第三実施例における輝度変更型省電力モードの動作フローを示す動作フロー図である。
【符号の説明】
【００４８】
１          マイコン
２          リモコン
３          入力キー
４          動作指示部
５          動作制御部
６          タイマー
７          設定保持メモリ
８          画面表示制御部
９          表示画面
１０        テレビ
【図１】
2006119999.tif 000003
【図２】
2006119999.tif 000004
【図３】
2006119999.tif 000005
【図４】
2006119999.tif 000006
【図５】
2006119999.tif 000007
【図６】
2006119999.tif 000008
【図７】
2006119999.tif 000009
【図８】
2006119999.tif 000010
【図９】
2006119999.tif 000011
【図１０】
2006119999.tif 000012
【図１１】
2006119999.tif 000013
【図１２】
2006119999.tif 000014
【図１３】
2006119999.tif 000015